(57)【要約】【課題】開封用ミシン線を容易かつ確実に切断して開封でき、かつ移送中等で破断の発生を可及的に抑制できる紙製開封体を提供する。【解決手段】表裏の少なくとも一方の紙片部３に開封用ミシン線１１を備え、該開封用ミシン線１１に沿うように紙片部３の一面側から押圧形成された開封ガイド凹線２１を備えたものであるから、該開封ガイド凹線２１によって開封用ミシン線１１の切断を誘導でき、容易かつ確実に開封することができると共に、開封ガイド凹線２１の押圧形成によって紙片部３の強度低下を抑制できるため、移送中等で破断（ハチケ）の発生を可及的に抑制することができる。【選択図】図２
2015000729.tif 000002
【特許請求の範囲】
【請求項１】
表裏一対の紙片部を備えた紙製開封体にあって、
表裏の紙片部の少なくとも一方に形成された開封用ミシン線と、
前記開封用ミシン線の長手方向全体または所定範囲に亘って、該開封用ミシン線に沿うように紙片部の一面側から押圧形成された開封ガイド凹線と
を備えていることを特徴とする紙製開封体。
【請求項２】
開封ガイド凹線が、開封用ミシン線の少なくとも片側に、該開封用ミシン線と重ならないように形成されていることを特徴とする請求項１に記載の紙製開封体。
【請求項３】
開封ガイド凹線が、開封用ミシン線の側端から５ｍｍ以内の領域に形成されていることを特徴とする請求項２に記載の紙製開封体。
【請求項４】
開封ガイド凹線が、０．１ｍｍ以上かつ５ｍｍ以下の線幅により形成されていることを特徴とする請求項２又は請求項３に記載の紙製開封体。
【請求項５】
開封ガイド凹線が、開封用ミシン線の幅方向全体または一部分と重なるように形成されていることを特徴とする請求項１に記載の紙製開封体。
【請求項６】
開封ガイド凹線が、開封用ミシン線の幅に比して５０％以上かつ３５０％以下の線幅により形成されていることを特徴とする請求項５に記載の紙製開封体。
【請求項７】
開封ガイド凹線を複数備え、
該開封ガイド凹線は、少なくとも一つが開封用ミシン線の幅方向全体または一部分と重なるように形成され、さらに、少なくとも一つが開封用ミシン線の少なくとも片側に該開封用ミシン線と重ならないように形成されていることを特徴とする請求項１に記載の紙製開封体。
【請求項８】
開封ガイド凹線は、紙片部の一面からの深さが該紙片部の厚みに比して１０％以上かつ１５０％以下となるように形成されていることを特徴とする請求項１乃至請求項７のいずれか１項に記載の紙製開封体。
【発明の詳細な説明】
【技術分野】
【０００１】
本発明は、表裏一対の紙片部を備えた紙製開封体に関する。
【背景技術】
【０００２】
紙製開封体としては、情報を被覆するように表裏の紙片部を剥離可能に貼り合わせた葉書、手紙や送り物を内包する封筒、比較的大きな送り物を内包する袋等がある。こうした紙製開封体には、封緘後に容易に開封できるように、開封用のミシン線を形成した構成が知られている。例えば特許文献１には、封筒の片面に開封用のミシン線が形成されており、該ミシン線を切断することによって容易に開封可能とした構成が開示されている。
【０００３】
また、開封用のミシン線は、容易かつ確実に切断することができるように、様々な形態のものが提案されている。例えば、特許文献２には、ミシン線を、基本線と、該基本線の両側に形成された補助線とにより構成したものが開示されている。この構成では、ミシン線が幅方向で密集して形成されることから、該ミシン線に沿って容易かつ確実に切断できる。
【先行技術文献】
【特許文献】
【０００４】
【特許文献１】特開２００２−５９９４０号公報
【特許文献１】特開２００３−３００５３８号公報
【発明の概要】
【発明が解決しようとする課題】
【０００５】
上記した開封用のミシン線は、開封時にミシン線での切断が該ミシン線から逸脱して破れてしまうことがないように、できるだけ容易かつ確実に切断できることが求められる。そのため、ミシン線を構成するミシン単位線を比較的太くしたり長くしたりすることがある。また、上述した特許文献２のように三列状にミシン線を形成することによって、該ミシン線の切断を容易かつ確実に行い易くしている。しかしながら、前記のようにミシン単位線を太くしたり長くしたりすると、ミシン単位線の端部に応力集中を生じ易くなることから、移送中などで該ミシン単位線の端部から破断（所謂、ハチケ）を生じる虞がある。また、前記のように三列状のミシン線が形成された構成にあっては、各ミシン線を構成するミシン単位線が密集していることから、その密集領域の強度が相対的に低下するため、移送中などで、ミシン単位線の端部から破断を生じる虞がある。このように従来構成では、ミシン線を容易かつ確実に切断できるようにすることと、移送中などでミシン線からの破断を防ぐこととを両立することが難しい。そのため、これらを両立できる構成が希求されている。
【０００６】
本発明は、開封用ミシン線を容易かつ確実に切断して開封でき、かつ移送中などで破断が生じてしまうことを可及的に抑制し得る紙製開封体を提供するものである。
【課題を解決するための手段】
【０００７】
本発明は、表裏一対の紙片部を備えた紙製開封体にあって、表裏の紙片部の少なくとも一方に形成された開封用ミシン線と、前記開封用ミシン線の長手方向全体または所定範囲に亘って、該開封用ミシン線に沿うように紙片部の一面側から押圧形成された開封ガイド凹線とを備えていることを特徴とする紙製開封体である。ここで、紙製開封体としては、情報隠匿用の葉書、封筒、袋などが適用される。また、開封ガイド凹線は、開封用ミシン線に沿って一又は複数形成することができる。
【０００８】
かかる構成では、開封用ミシン線に沿って形成された開封ガイド凹線により、開封時に開封用ミシン線で容易かつ確実に切断することができる。これは、開封用ミシン線での切断が該開封用ミシン線から逸脱しそうになっても、該逸脱する切断の拡大を開封ガイド凹線の段差形状によって防ぐことができ、開封用ミシン線での切断に誘導できることに因る。また、開封ガイド凹線は、紙片部の厚み方向に窪むものであることから、ミシン線や切り込み線等と異なり、紙片部を切断するものではない。そのため、開封ガイド凹線は、ミシン線や切り込み線を形成した場合に比して紙片部の強度低下を著しく抑制することができる。さらに、開封ガイド凹線は、紙片部を切断して形成される切断縁や切断した端部も存在しないことから、ミシン線等のように上記した応力集中による破断（所謂ハチケ）を生じ難い。こうしたことから、開封ガイド凹線を備えることによって、上述した従来構成のようにミシン線のサイズを大きくしたり多数のミシン線を並べて形成したりすることなく、開封用ミシン線を容易かつ確実に切断して開封できると共に、移送中などで前記破断の発生を可及的に抑制することができる。
【０００９】
尚、開封用ミシン線の一部分が開封方向と比較的大きく異なる方向に形成されている構成の場合には、少なくとも該一部分に亘って開封ガイド凹線を形成してなる構成が好適である。また、開封用ミシン線の全体が開封方向と比較的大きく異なる方向に形成されている構成の場合には、その全体に亘って開封ガイド凹線を形成してなる構成が好適である。これは、開封時に開封者の力が作用する開封方向と開封用ミシン線との方向が比較的大きく異なっていると、開封用ミシン線から切断が逸脱し易い傾向にあるものの、前記の構成によれば、該逸脱する切断を開封ガイド凹線により抑制でき、開封ミシン線での切断に誘導して容易かつ確実に開封できるためである。
【００１０】
上述した本発明の紙製開封体にあって、開封ガイド凹線が、開封用ミシン線の少なくとも片側に、該開封用ミシン線と重ならないように形成されている構成が提案される。ここで、「開封用ミシン線と重ならない」とは、開封用ミシン線の側端と開封ガイド凹線の側端とが一致している構成と、該開封用ミシン線の側端から所定間隔をおいて開封ガイド凹線が形成されている構成との両方を含むものである。尚、後者の構成では、開封ガイド凹線が開封用ミシン線と近接かつ並行に形成されたものが好適である。また、こうした開封ガイド凹線は、開封用ミシン線の両側に夫々形成された構成が好適である。
【００１１】
かかる構成によれば、開封用ミシン線での切断が逸脱しそうになっても、該逸脱する切断の拡大を開封ガイド凹線によって防ぐことができ、開封用ミシン線での切断に安定して誘導できる。特に、開封ガイド凹線の側端と開封用ミシン線の側端とが一致した構成、及び開封ガイド凹線と開封用ミシン線とが近接した構成では、前記逸脱する切断を防ぐ効果が高く、一層安定かつ確実に開封用ミシン線の切断を誘導できる。
【００１２】
上述した本発明の紙製開封体にあって、開封ガイド凹線が、開封用ミシン線の側端から５ｍｍ以内の領域に形成されている構成が提案される。ここで、開封ガイド凹線は、前記領域内に収まるように、その線幅が設定される。
【００１３】
かかる構成によれば、開封用ミシン線による切断が逸脱しそうになっても、該逸脱する切断を極限られた範囲に制限でき、該切断を開封用ミシン線の切断に一層容易に誘導することができる。ここで、開封ガイド凹線を形成する領域としては、開封用ミシン線の側端から１ｍｍ以内とした構成が好適であり、前記作用効果が一層向上する。また、開封ガイド凹線は、前記領域内に一又は複数形成することができる。
【００１４】
上述した本発明の紙製開封体にあって、開封ガイド凹線が、０．１ｍｍ以上かつ５ｍｍ以下の線幅により形成されている構成が提案される。
【００１５】
かかる構成によれば、上述した本発明の作用効果を一層安定して発揮することができる。ここで、０．１ｍｍ未満の線幅は、その形成に要する作業が著しく難しくなってしまう。一方、５ｍｍ以下の線幅とすることにより、その開封ガイド凹線内に開封用ミシン線から逸脱した切断が進出しても、開封ガイド凹線内での該切断の拡大を抑制する効果に優れ、開封用ミシン線での切断に誘導する効果が安定して発揮され得る。尚、開封ガイド凹線の線幅を０．５ｍｍ以上かつ１ｍｍ以下とする構成が好適である。
【００１６】
上述した本発明の紙製開封体にあって、開封ガイド凹線が、開封用ミシン線の幅方向全体または一部分と重なるように形成された構成が提案される。
【００１７】
かかる構成にあっては、開封用ミシン線に重なる開封ガイド凹線により、該開封用ミシン線から切断が逸脱してしまうことを防ぐことができ、開封用ミシン線による切断を安定して誘導できる。
【００１８】
上述した本発明の紙製開封体にあって、開封用ミシン線と重なる開封ガイド凹線が、開封用ミシン線の幅に比して５０％以上かつ３５０％以下の線幅により形成されている構成が提案される。ここで、開封ガイド凹線の線幅が開封用ミシン線の５０％以上かつ１００％未満である場合には、該開封ガイド凹線が開封用ミシン線と幅方向で一部分重なる構成となる。一方、１００％以上かつ３５０％以下であれば、開封ガイド凹線が開封用ミシン線と幅方向全体または一部分で重なる構成となる。
【００１９】
かかる構成によれば、開封用ミシン線による切断を一層安定して誘導することができる。ここで、開封ガイド凹線の線幅を３５０％以下とすることにより、開封用ミシン線から逸脱する切断の拡大を開封ガイド凹線内という極限られた範囲で制限でき、該切断の拡大を防ぐ効果に優れる。一方、開封ガイド凹線の線幅を５０％以上とすることにより、該開封ガイド凹線と重なる開封用ミシン線の切断を誘導する効果が一層安定して発揮され得る。尚、こうした開封ガイド凹線の線幅は、１００％以上かつ２５０％以下が好適である。
【００２０】
上述した本発明の紙製開封体にあって、開封ガイド凹線を複数備え、該開封ガイド凹線は、少なくとも一つが開封用ミシン線の幅方向全体または一部分と重なるように形成され、さらに、少なくとも一つが開封用ミシン線の少なくとも片側に該開封用ミシン線と重ならないように形成されている構成が提案される。
【００２１】
かかる構成にあっては、上述した開封用ミシン線と重なる開封ガイド凹線と、上述した開封用ミシン線と重ならない開封ガイド凹線とを、少なくとも一つずつ備えたものである。本構成によれば、開封用ミシン線と重なる開封ガイド凹線と、重ならない開封ガイド凹線とがそれぞれ、開封ミシン線による切断を安定して誘導できる作用効果を奏し得ることから、両者の相乗効果によって該作用効果が一層向上する。
【００２２】
尚、本構成にあって、開封用ミシン線の幅方向全体または一部と重なる開封ガイド凹線としては、上述したように、その線幅が開封用ミシン線の幅に比して５０％以上かつ３５０％以下とする構成が好適である。そして、開封用ミシン線と重ならない開封ガイド凹線としては、上述したように、該開封用ミシン線の側端から５ｍｍ以内の範囲に形成されている構成や、０．１ｍｍ以上かつ５ｍｍ以下の線幅により生成されている構成が好適である。
【００２３】
上述した本発明の紙製開封体にあって、開封ガイド凹線は、紙片部の一面からの深さが該紙片部の厚みに比して１０％以上かつ１５０％以下となるように形成されている構成が提案される。ここで、開封ガイド凹線は紙片部の一面側から押圧形成されたものであるから、その反対面側から突出するように形成されていても良い。そのため、開封ガイド凹線の深さを紙片部の厚みに比して１００％以上とすることも可能である。
【００２４】
かかる構成にあっては、開封用ミシン線から逸脱する切断を防ぐ効果が安定して発揮され、該開封用ミシン線による切断を誘導する効果に優れる。ここで、開封ガイド凹線の深さを１０％以上とすることによって、その段差形状を開封用ミシン線から逸脱する切断が乗り越えてしまうことを一層確実に防ぐことができる。また、開封用ガイド凹線の深さを１５０％以下とすることによって、押圧形成の際に紙片部の繊維破壊を抑制する効果に優れ、上述した強度低下を抑制する効果が高い。
【発明の効果】
【００２５】
本発明は、開封用ミシン線に沿うように開封ガイド凹線が押圧形成されたものであるから、上述したように、開封用ミシン線を容易かつ確実に切断して開封できるという作用効果と、移送中などで破断（ハチケ）の発生を可及的に抑制するという作用効果との両方を発揮することができる。
【図面の簡単な説明】
【００２６】
【図１】実施例１の、紙製封筒１の封緘前の状態を示す（ａ）正面図と（ｂ）背面図である。
【図２】実施例１の、紙製封筒１の封緘後の状態を示す背面図である。
【図３】実施例１の、開封用ミシン線１１の第一ミシン線１２を示す説明図である。
【図４】実施例１の、開封用ミシン線１１の第二ミシン線１３を示す説明図である。
【図５】実施例１の、第二ミシン線１３と開封用ガイド凹線２１とを示す部分拡大図である。
【図６】実施例１の、第二ミシン線１３と開封用ガイド凹線２１とを示す説明図である。
【図７】実施例２の、紙製封筒１の封緘後の状態を示す背面図である。
【図８】実施例２の、第一ミシン線１２と開封用ガイド凹線３１の第一ガイド凹線３２とを示す部分拡大図である。
【図９】実施例３の、第二ミシン線１３と開封用ガイド凹線４１とを示す部分拡大図である。
【図１０】実施例４の、第二ミシン線１３と開封用ガイド凹線５１とを示す部分拡大図である。
【図１１】実施例４の、第二ミシン線１３と開封用ガイド凹線５１とを示す説明図である。
【図１２】実施例５の開封用ガイド凹線５６を示す部分拡大図である。
【図１３】実施例６の開封用ガイド凹線６１，６２を示す部分拡大図である。
【図１４】実施例７の、紙製封筒１の封緘後の状態を示す背面図である。
【発明を実施するための形態】
【００２７】
本発明にかかる実施形態を添付図面に従って説明する。
図１，２に本実施例の紙製封筒１を示す。図１は、封緘する前の状態であり、図２は、封緘した後の状態である。この紙製封筒１が、本発明にかかる紙製開封体である。
【００２８】
上記の紙製封筒１は、矩形状の紙片部２，３を表裏一対に備え、上方開口する開口部５を構成する表側紙片部２の上辺に帯片部４が連成されている。そして、帯片部４を裏側へ折り返して裏側の紙片部３に接着することによって封緘することができる。尚、本実施例にあって、紙片部３の封筒外に露出した面が外表面３ａであり（図６参照）、封筒内の面が内面（図示せず）として説明する。
【００２９】
本発明の要部について、下記の実施例１〜７により説明する。
【実施例１】
【００３０】
実施例１の紙製封筒１には、図１（ｂ）および図２のように、裏側の紙片部３に開封用ミシン線１１が形成されている。この開封用ミシン線１１は、裏側紙片部３の上辺から両側辺に沿って略直線状に形成された左右の第一ミシン線１２，１２と、各第一ミシン線１２，１２の下端から夫々内側へ傾斜する左右の第二ミシン線１３，１３とから構成されている。そして、左右の第二ミシン線１３，１３の下端から下方へ突出する略コ字形の第三ミシン線１４が形成されている。
【００３１】
こうした開封用ミシン線１１は、開封者が第三ミシン線１４により画成された抓み部１６を抓み、上方へ向かって引張ることによって、第二ミシン線１３，１３の下端から第一ミシン線１２，１２の上端まで順次切断されていく。こうして開封用ミシン線１１が切断されることによって、封緘した紙製封筒１を容易に開封することができる。尚ここで、紙製封筒１の下辺から上辺に向かう方向が、いわゆる開封方向であり、開封時には該開封方向に沿って開封者による力が作用する。
【００３２】
開封用ミシン線１１を構成する第一ミシン線１２，１２は、開封方向に沿って形成されており、第二ミシン線１３，１３は、該開封方向と異なる方向に形成されている。第一ミシン線１２は、図３のように、開封方向に対して所定の鋭角θＡで傾斜したミシン単位線Ａと、該ミシン単位線Ａと逆側に所定の鋭角θＢで傾斜したミシン単位線Ｂとが、所定間隔をおいて交互に形成されて構成されている。これらミシン単位線Ａ，Ｂは、紙片部３をその厚み方向に貫通するように所定長さで切断されて夫々形成されている。また、ミシン単位線Ａの傾斜角θＡとミシン単位線Ｂの傾斜角θＢとは、下記（１），（２）の範囲を満たすように形成されている。そして、ミシン単位線Ａ，Ｂの形状によって、第一ミシン線１２の線幅Ｓ１が規定される。
（１）０°≦θＡ≦９０°
（２）０°≦θＢ≦θＡ
【００３３】
第二ミシン線１３は、図４のように、開封方向に対して所定角度θ１で傾斜する第二ミシン方向に沿って形成されており、該開封方向に対して所定の鋭角θＣで傾斜したミシン単位線Ｃと所定の鋭角θＤで傾斜したミシン単位線Ｄとが、所定間隔をおいて交互に形成されて構成されている。ここで、ミシン単位線Ｃとミシン単位線Ｄとは、開封方向に対して同じ側に傾斜している。そして、ミシン単位線Ｃ，Ｄは、紙片部３をその厚み方向に貫通するように所定長さで切断されて夫々形成されている（図６参照）。また、ミシン単位線Ｃの傾斜角θＣとミシン単位線Ｄの傾斜角θＤとは、下記（３），（４）の範囲を満たすように形成されている。そして、ミシン単位線Ｃ，Ｄの形状によって、第二ミシン線１３の線幅Ｓ２（図５参照）が規定される。尚、θ１＝０とすれば、傾斜角θＣとθＤとの関係は、上記した傾斜角θＡとθＢとの関係と同じと言える。
（３）θ１≦θＣ≦９０°
（４）０°≦θＤ≦θＣ
【００３４】
尚、本実施例１にあって、左右の第二ミシン線１３，１３では、夫々のミシン単位線Ｃ，Ｄが左右逆方向に傾斜するように形成されている。すなわち、左右の第二ミシン線１３，１３は、ほぼ左右対称となっている。また、本実施例１にあっては、θＡ＝４５°、θＢ＝４５°、θＣ＝８０°、θＤ＝６５°、θ１＝５０°として設定している。尚、開封用ミシン線１１によって開封される面積は、紙片部３の面積に対して約７０％となっている。
【００３５】
一方、図５のように、上述した左右の第二ミシン線１３に沿って開封ガイド凹線２１，２１が夫々形成されている。開封ガイド凹線２１，２１は、第二ミシン線１３の両側に、所定間隔ｐをおいて並行するように夫々形成されている。開封ガイド凹線２１は、紙片部３の外表面３ａ側から押圧形成されており、図６のように、該紙片部３の厚み方向に窪む形状を成している。そして、開封ガイド凹線２１の裏側では、紙片部３の内面が隆起している。
【００３６】
こうした開封ガイド凹線２１，２１は、第二ミシン線１３の両側端から所定間隔ｐをおいた両側位置に夫々形成されており、該第二ミシン線１３と略平行するように形成されている。ここで、第二ミシン線１３の側端からの間隔ｐは、０．５ｍｍに設定しており、開封ガイド凹線２１は、その線幅Ｗを０．５ｍｍとして形成されている。すなわち、第二ミシン線１３の両側に形成された開封ガイド凹線２１，２１は、該第二ミシン線１３の両側端から１ｍｍの領域（以下、帯状領域という）内に形成されている。さらに、開封ガイド凹線２１は、紙片部３の厚み方向に５０μｍの深さｔで形成されている。これにより、開封ガイド凹線２１は、その側端に５０μｍの段差を有している。ここで、紙片部３の厚みＴは１２５μｍであることから、開封ガイド凹線２１の深さｔは厚みＴの約４０％である。
【００３７】
尚、開封ガイド凹線２１は、弾性体であるゴム状板上に、裏側の紙片部３をその外表面３ａが上向きとなるようにして乗載し、該外表面側から、所定幅の押圧ローラを押し当てることによって、エンボス加工されて形成される（図示せず）。ここで、押圧ローラの幅によって、開封ガイド凹線２１の線幅Ｗが決まり、該押圧ローラを押し付ける量（距離）によって、開封ガイド凹線２１の深さｔが決まる。
【００３８】
本実施例１の紙製封筒１は、封緘後に、裏側の紙片部３に形成された開封用ミシン線１１を切断することによって、比較的容易かつ確実に開封することができる。詳述すると、開封者は、紙製封筒１の裏面（紙片部３）に形成された第三ミシン線１４を切断し、該第三ミシン線１４により画成された抓み部１６を抓み、上記の開封方向に引張る。これにより、開封用ミシン線１１を構成する左右の第二ミシン線１３，１３では、交互に形成されたミシン単位線Ｃ，Ｄ間が順次切断されていくことによって切り離されていき、さらに、左右の第一ミシン線１２，１２では、交互に形成されたミシン単位線Ａ，Ｂ間が順次切断されていくことによって切り離されていく。そして、第二ミシン線１３，１３と第一ミシン線１２，１２との切断によって、紙製封筒１が開封される。ここで、第一ミシン線１２，１２は、開封方向に形成されていることから、該開封方向に引っ張られることによって容易に切断可能である。一方、第二ミシン線１３，１３は、開封方向に対して比較的大きく傾斜する第二ミシン方向（傾斜角θ１＝５０°）に沿って形成されていることから、該開封方向に引っ張られた場合に、ミシン単位線Ｃ，Ｄ間を切断できずに該ミシン方向から逸脱した切断が生じてしまい易い。これに対して、本実施例１の構成では、第二ミシン線１３の両側には開封ガイド凹線２１，２１が夫々形成されていることから、第二ミシン線１３から切断が逸脱しそうになっても、該逸脱する切断を開封ガイド凹線２１の段差形状により防ぐことができ、ミシン単位線Ｃ，Ｄ間の切断に誘導することができる。そのため、開封方向と異なる第二ミシン方向に沿った第二ミシン線１３，１３にあっても、該開封方向へ引っ張られることにより容易かつ確実に切断できる。
【００３９】
また、第二ミシン線１３に沿った開封ガイド凹線２１は、上述したように紙片部３の外表面３ａ側から押圧形成（エンボス加工）されたものであり、ミシン線やハーフカット線等のように紙片部３を切断していない。そのため、開封ガイド凹線２１の形成した部位は、該形成による強度低下が可及的に抑制されており、ミシン線やハーフカット線を形成した場合に比して高い強度を維持し得る。さらに、開封ガイド凹線２１は、ミシン線やハーフカット線等のように切断縁や切断した端部を有しないことから、これら切断縁や端部からの応力集中に伴う破断（ハチケ）を生じ難い。
【００４０】
本実施例１の構成は、開封用ミシン線１１（第二ミシン線）に沿って開封ガイド凹線２１を形成することによって、ミシン単位線を太くしたり長くしたりことやミシン単位線を多数形成すること無く、該開封用ミシン線１１を容易かつ確実に切断して開封することができると共に、移送中等で破断が生じてしまうことを可及的に抑制できる。すなわち、開封用ミシン線１１を容易かつ確実に切断する作用効果と、移送中の破断を抑制する作用効果との両方を高いレベルで発揮することができる。
【００４１】
尚、実施例１の構成にあって、開封ガイド凹線２１の線幅Ｗは、上記寸法値に限定されず、０．１ｍｍ以上かつ５ｍｍ以下の範囲で適宜設定できる。こうした線幅Ｗに設定することにより、上述した作用効果を同様に奏し得る。また、開封ガイド凹線２１の深さｔは、上記寸法値に限定されず、紙片部３の厚みＴに対して１０％以上かつ１５０％以下の範囲で適宜設定できる。こうした深さｔに設定することにより、上述した作用効果を同様に奏し得る。さらにまた、開封ガイド凹線２１は、開封用ミシン線１１の第二ミシン線１３の両側端から５ｍｍ以内の帯状領域に形成することができる。こうした帯状領域に開封ガイド凹線２１を形成することにより、上述した作用効果を同様に奏し得る。
【００４２】
本実施例１にあって、開封ガイド凹線２１は第一ミシン線１２と第二ミシン線１３とから構成されていることから、該第一ミシン線１２と第二ミシン線１３とを連続する方向が本発明にかかる「開封ガイド凹線の長手方向」である。また、裏側の紙片部３の外表面３ａが、本発明の「紙片部の一面」である。
【実施例２】
【００４３】
実施例２の紙製封筒１にあっては、図７のように、実施例１と同様に開封用ミシン線１１（第一ミシン線１２および第二ミシン線１３）が形成されたものである。そして、開封ガイド凹線３１が、左右の第一ミシン線１２，１２に沿って夫々形成された第一ガイド凹線３２，３２と、左右の第二ミシン線１３，１３に沿って夫々形成された第二ガイド凹線３３，３３とにより構成されている。ここで、第二ガイド凹線３３は、上記した実施例１の開封ガイド凹線２１と同様の構成である。すなわち、本実施例２の構成は、上述した実施例１の構成に、第一ミシン線１２に沿った第一ガイド凹線３２を追加形成したものである。そのため、第一ガイド凹線３２以外は、実施例１と同じ構成であることから、その詳細な説明を省略する。
【００４４】
上記の第一ガイド凹線３２，３２は、図８のように、第一ミシン線１２の両側に、所定間隔をおいて並行するように夫々形成されており、上記実施例１の開封ガイド凹線２１と同様に、紙片部３の外表面側からエンボス加工により形成されている。そして、第一ガイド凹線３２は、その線幅Ｗを０．５ｍｍとし且つその深さｔを５０μｍとしており、第一ミシン線１２の両側端から０．５ｍｍ離れた両側位置に夫々形成されている。すなわち、本実施例２の第一ガイド凹線３２は、開封方向（紙製封筒１の上下方向）に沿って形成されていること以外は、第二ガイド凹線３３（実施例１の開封ガイド凹線２１）と同様に形成されている。
【００４５】
本実施例２の構成によれば、開封方向に引っ張られる開封の際に、上述した実施例１と同様に第二ミシン線１３，１３を第二ガイド凹線３３，３３によって容易かつ確実に切断できる作用効果と、第一ミシン線１２，１２についても第一ガイド凹線３２，３２によって容易かつ確実に切断できるという作用効果とを奏し得る。すなわち、第一ミシン線１２を切断する際に、そのミシン単位線Ａ，Ｂ間を切断できずに該ミシン線方向から逸脱した切断が生じてしまいそうになっても、該逸脱する切断を第一ガイド凹線３２，３２の段差形状により防ぐことができ、ミシン単位線Ａ，Ｂ間の切断に誘導することができる。また、第一ガイド凹線３２は、第二ガイド凹線３３と同様にエンボス加工により押圧形成されたものであることから、上述した実施例１の開封ガイド凹線２１と同様に、移送中等で破断が発生することを抑制できる。
【実施例３】
【００４６】
実施例３の構成にあっては、実施例１と同様に開封用ミシン線１１が形成されたものであって、図９のように、第二ミシン線１３の片側に開封ガイド凹線４１が夫々形成されたものである。ここで、開封ガイド凹線４１は、その側端が第二ミシン線１３の側端と一致するように形成されている。尚、開封ガイド凹線４１は、第二ミシン線１３の上側に位置している。
【００４７】
こうした開封ガイド凹線４１は、その線幅Ｗが１ｍｍであり、その深さｔが５０μｍである。そして、開封ガイド凹線４１は、その側端と第二ミシン線１３の側端とが一致していることから、該第二ミシン線１３の側端から１ｍｍ以下（５ｍｍ以下）の帯状領域に形成されている。尚、本実施例３の構成は、第二ミシン線１３の片側に開封ガイド凹線４１を設けた以外は、上述した実施例１と同じであることから、その詳細については省略する。
【００４８】
本実施例３の構成によれば、開封方向に引っ張られることによって、開封方向に対して比較的大きく傾斜する第二ミシン線１３を切断する際に、第二ミシン線１３を構成するミシン単位線Ｃ，Ｄ間を切断できずに逸脱して切断しそうになっても、該逸脱する切断を開封ガイド凹線４１により防ぐことができる。ここで、開封方向に引張力が生じることから、前記逸脱する切断を第二ミシン線１３の上側に形成した開封ガイド凹線４１によって安定して防ぐことができる。これにより、本実施例３の構成にあっても、上述した実施例１と同様の作用効果を奏し得る。
【実施例４】
【００４９】
実施例４の構成にあっては、実施例１と同様に開封用ミシン線１１が形成されたものであって、図１０のように、第二ミシン線１３の幅方向全体と重なるように開封ガイド凹線５１が夫々形成されたものである。ここで、開封ガイド凹線５１は、図１１のように、紙片部３の外表面３ａ側から押圧形成（エンボス加工）されており、その線幅Ｗが第二ミシン線１３の線幅Ｓ２よりも若干太く設定され、両者の中心線が略一致するように形成されている。これにより、開封ガイド凹線５１の内部に第二ミシン線１３を備えた構成となっている。
【００５０】
開封ガイド凹線５１は、その線幅Ｗが２．５ｍｍであり、第二ミシン線１３の線幅Ｓ２の約１７０％である。そして、開封ガイド凹線５１の深さｔは、５０μｍであり、紙片部３の厚みＴに対して約４０％である。
【００５１】
尚、本実施例４は、開封ガイド凹線５１が第二ミシン線１３の幅方向全体で重なるように形成した以外は、上述した実施例１と同じであることから、その詳細についは省略する。
【００５２】
本実施例４の構成によれば、開封方向に引っ張られる開封の際に、第二ミシン線１３のミシン単位線Ｃ，Ｄ間を切断できずに逸脱しそうになっても、該逸脱する切断を開封ガイド凹線５１の側端の段差形状によって防ぐことができ、ミシン単位線Ｃ，Ｄ間の切断に誘導することができる。そのため、開封方向に対して比較的大きく傾斜した第二ミシン線１３を切断する際にも、該第二ミシン線１３を容易かつ確実に切断して開封することができる。また、開封ガイド凹線５１は、上述した実施例１と同様に、押圧形成されたものであることから、比較的高い強度を維持することができるため、移動中での破断の発生を抑制することができる。このように、本実施例４の構成にあっても、上述した実施例１と同様の作用効果を奏し得る。
【実施例５】
【００５３】
実施例５の構成にあっては、図１２のように、第二ミシン線１３，１３の幅方向一部分と重なる開封ガイド凹線５６が形成されたものである。ここで、開封ガイド凹線５６は、その線幅Ｗが第二ミシン線１３の線幅Ｓ２よりも狭く設定され、両者の中心線が略一致するように形成されている。
【００５４】
開封ガイド凹線５６は、その線幅Ｗが１．２ｍｍであり、第二ミシン線１３の線幅Ｓ２の約８０％である。そして、開封ガイド凹線５１の深さｔは、５０μｍであり、紙片部３の厚みＴの約４０％である。
【００５５】
尚、本実施例５は、開封ガイド凹線５６が第二ミシン線１３の幅方向の一部分と重なるように形成した以外は、上述した実施例４と同じであることから、その詳細については省略する。
【００５６】
本実施例５の構成にあっては、第二ミシン線１３が開封ガイド凹線５６と部分的に重なっていることから、開封方向に引っ張られる開封の際に、第二ミシン線１３のミシン単位線Ｃ，Ｄ間から逸脱する切断を防ぐことができ、ミシン単位線Ｃ，Ｄ間の切断を誘導できる。これにより、第二ミシン線１３を確実に切断することができる。また、開封ガイド凹線５６は、上述した実施例４と同様に押圧形成（エンボス加工）されたものであるから、移送中等での破断の発生を抑制できる。
【実施例６】
【００５７】
実施例６の構成にあっては、図１３のように、第二ミシン線１３の幅方向一部分と重なる開封ガイド凹線６１と、該第二ミシン線１３の両側に所定間隔をおいて夫々形成された開封ガイド凹線６２，６２とを備えたものである。ここで、第二ミシン線１３と重なる開封ガイド凹線６１は、上述した実施例５の開封ガイド凹線５６と同じ構成であり、同じ寸法形状に形成されている。一方、第二ミシン線１３の両側に形成された開封ガイド凹線６２は、上述した実施例１の開封ガイド凹線２１と同じ構成であり、同じ寸法形状に形成されている。尚、本実施例６は、開封ガイド凹線６１と開封ガイド凹線６２とを形成した以外は、上述した実施例１と同じであり、その詳細については省略する。
【００５８】
本実施例６の構成によれば、開封方向に引っ張られる開封の際に、第二ミシン線１３と重なる開封ガイド凹線６１によって、第二ミシン線１３のミシン単位線Ｃ，Ｄ間の切断を容易に誘発することができる。さらに、ミシン単位線Ｃの両端は開封ガイド凹線６１の外側にあることから、仮に該両端から外側へ向かって逸脱する切断が生じても、該切断の拡大を開封ガイド凹線６２によって防ぐことができる。このように、開封ガイド凹線６１，６２によって、第二ミシン線１３の切断を容易かつ確実に誘導できることから、一層安定して開封を行うことができる。また、上述した実施例１，５と同様に、移送中等での破断の発生を抑制する作用効果も奏する。
【実施例７】
【００５９】
実施例７の構成にあっては、図１４のように、紙製封筒１の裏側の紙片部３に、その上辺から両側辺に沿って略直線状に形成された比較的短尺の左右の第一ミシン線８２，８２と、各第一ミシン線８２，８２の下端から夫々内側へ傾斜する左右の第二ミシン線８３，８３とから構成された開封用ミシン線８１を備えている。ここで、第一ミシン線８２は、上述した実施例１の第一ミシン線１２に比して短く、第二ミシン線８３は、上述した実施例１の第二ミシン線１３に比して、開封方向に対する傾斜角θ１（図４参照）が小さい。本実施例７では、この傾斜角θ１＝２０°として、開封用ミシン線８１により開封される面積が紙片部３の約４５％となるように形成されており、上述した実施例１の開封面積（約７０％）よりも小さい。そして、第二ミシン線８３が、実施例１の第二ミシン線１３に比して長尺である。
【００６０】
こうした開封用ミシン線８１を備えた構成にあって、該開封用ミシン線８１の第二ミシン線８３の両側に、上述した実施例１と同様の開封ガイド凹線９１が夫々形成されている。開封ガイド凹線９１は、実施例１の開封ガイド凹線２１と同様に形成されており、その寸法形状が同じとなっている。すなわち、第二ミシン線８３の両側端から０．５ｍｍ離れた両側位置に夫々形成されており、線幅Ｗが０．５ｍｍに設定されている。そして、紙片部３の厚みＴに対して約４０％となる５０μｍの深さｔに形成されている。
【００６１】
尚、本実施例７にあっては、開封用ミシン線８１が異なる以外は上述した実施例１と同じであり、その詳細については省略する。
【００６２】
本実施例７のように、開封方向と異なる方向の第二ミシン線８３，８３が比較的長尺に形成された構成であっても、実施例１と同様に開封ガイド凹線９１によって、該第二ミシン線８３の切断を誘導できる。これにより、開封用ミシン線８１を容易かつ確実に切断することができ、安定して開封できる。また、開封ガイド凹線９１は、実施例１と同様に押圧形成されたものであることから、移動中等での破断の発生を抑制する作用効果も奏し得る。
【００６３】
上述した実施例１，２の構成にあっては、開封ガイド凹線が開封用ミシン線の側端から所定間隔をおいて並行するように形成された構成であるが、実施例３のように、開封ガイド凹線の側端と開封用ミシン線の両側端とが夫々一致するように形成することもできる。また、実施例３の構成にあって、実施例１，２と同様に、開封ガイド凹線が開封用ミシン線の側端から所定間隔をおいて並行するように形成することもできる。また、実施例６にあって、開封用ミシン線と重ならない開封ガイド凹線を、該開封用ミシン線の片側に形成した構成とすることもできる。そして、この実施例６にあっても、開封用ミシン線の側端と一致する開封ガイド凹線を形成した構成とすることもできる。
【００６４】
また、実施例１〜７以外の形状の開封用ミシン線を備えた構成にあっても、開封ガイド凹線により、開封用ミシン線に沿って切断する作用効果と、移送中の破断を抑制する作用効果との両方を高いレベルで発揮することができる。
【００６５】
本発明にあっては、上述した実施例１〜７に限定されるものではなく、上述の実施例以外の構成についても本発明の趣旨の範囲内で適宜変更して実施可能である。例えば、開封ガイド凹線は、裏側の紙片部の内面側から押圧形成されていても良いし、開封用ミシン線および開封ガイド凹線は、表側の紙片部に形成されていても良い。
【符号の説明】
【００６６】
１  紙製封筒（紙製開封体）
２，３  紙片部
３ａ  外表面（一面）
１１，８１  開封用ミシン線
２１，３１，４１，５１，５６，６１，６２，９１  開封ガイド凹線
【図１】
2015000729.tif 000003
【図２】
2015000729.tif 000004
【図３】
2015000729.tif 000005
【図４】
2015000729.tif 000006
【図５】
2015000729.tif 000007
【図６】
2015000729.tif 000008
【図７】
2015000729.tif 000009
【図８】
2015000729.tif 000010
【図９】
2015000729.tif 000011
【図１０】
2015000729.tif 000012
【図１１】
2015000729.tif 000013
【図１２】
2015000729.tif 000014
【図１３】
2015000729.tif 000015
【図１４】
2015000729.tif 000016